(57)【要約】【課題】非印刷中の装置内の用紙たるみを無くすように制御することで、定着部の熱による用紙の変色や変形を防止し、信頼性の高い用紙搬送制御方法を提供することにある。【解決手段】感光体２０２に形成されたトナー像を用紙に転写させる転写器２０８と、転写器２０８に対し用紙搬送方向下流側に設けられたトラクタ２０３と、トラクタ２０３に対し用紙搬送方向下流側に設けられ、用紙上に転写されたトナー像を加熱・加圧することにより定着するための熱ロール２０６と加圧ロール２０７と、熱ロール２０６と加圧ロール２０７の用紙搬送方向下流側に設けられた搬送ローラ対と、トラクタ２０３、熱ロール２０６と加圧ロール２０７および搬送ローラ対で長尺に連続した用紙２０１を搬送させながら印刷する用紙搬送制御方法において、非印刷中の用紙停止時に規定間隔で搬送ローラ対を用紙搬送方向へ駆動、停止させることを特徴とする。【選択図】  図１
2008233770.tif 000002
【特許請求の範囲】
【請求項１】
感光体上に形成されたトナー像を用紙に転写させる転写器と、前記転写器に対し用紙搬送方向下流側に設けられた用紙搬送トラクタと、該トラクタに対し用紙搬送方向下流側に設けられ、用紙上に転写されたトナー像を加熱・加圧することにより定着するための熱ロール及び加圧ロールと、前記熱ロールと加圧ロールの用紙搬送方向下流側に設けられた搬送ローラ対と、前記用紙搬送トラクタ、前記熱ロールと加圧ロールおよび搬送ローラ対で長尺に連続した用紙を搬送させながら該用紙にトナー像を印刷する電子写真装置の用紙搬送制御方法において、非印刷中の用紙停止時に規定間隔で前記搬送ローラ対を用紙搬送方向へ駆動、停止させることを特徴とする電子写真装置の用紙搬送制御方法。
【請求項２】
請求項１記載の電子写真装置の用紙搬送制御方法において、前記非印刷中の搬送ローラ対の停止時間を用紙が熱ロールにより加熱されることで熱変形となる時間より短くしたことを特徴とする電子写真装置の用紙搬送制御方法。
【発明の詳細な説明】
【技術分野】
【０００１】
本発明は、レーザビームプリンタや複写機などの電子写真装置の用紙搬送機構における用紙搬送制御に関するものである。
【背景技術】
【０００２】
レーザビームプリンタ等の電子写真装置は、図４に示すように印刷用紙２０１をトラクタ２０３により感光ドラム２０２の周期と同速度で移動させ、転写器２０８により印刷用紙２０１に図示していないトナーを転写させた後、印刷用紙２０１に一定の張力を与える為のバッファ２０４を通り、用紙搬送ガイド２０５を通過後、熱ロール２０６及び加圧ロール２０７により図示していないトナー像を加圧・加熱し、印刷用紙２０１に溶融定着させ、プラー２１０で印刷用紙２０１を一定張力で引張り、印刷用紙２０１を折り畳むためのスゥィングフィン２１２で印刷用紙を折り畳んだ後、印刷用紙２０１を積載するスタッカ２１３へ印刷用紙２０１を搬送する。
【０００３】
非印刷中は、印刷用紙２０１は停止した状態であり、印刷用紙２０１と熱ロール２０６の接触による用紙の変色や変形を防止するために熱ロール２０６と加圧ロール２０７は非接触状態としている。用紙２０１は、印刷を停止した時の状態のままであるため、トラクタ２０３とプラー２１０間でたるみの無い状態となっている。
【０００４】
次に印刷時のプラー２１０の動作について、図２を用いて説明する。
【０００５】
電子写真装置は、図２に示すように図示しない上位装置からの印刷信号ＰＲＩＮＴ−Ｐが「１」となることで、印刷が開始され、ＰＲＩＮＴ−Ｐが「０」となると印刷が停止する。ＰＲＩＮＴ−Ｐが「１」となると、プラー駆動信号ＰＵＬＬＥＲ  ＤＲＶ−Ｐ信号を「１」、プラー方向信号ＰＵＬＬＥＲ  ＣＣＷ−Ｐを「１」とし、プラー駆動部２１１によりプラー２１０は用紙搬送方向に回転する。上位装置からの印刷信号ＰＲＩＮＴ−Ｐが「０」となると、プラー２１０の駆動信号ＰＵＬＬＥＲ  ＤＲＶ−Ｐ信号を「０」としプラー２１０は停止する。
【０００６】
次にスタッカ２１３動作時のプラー２１０の動作について、図３を用いて説明する。スタッカ２１３は、印刷が終了した後にオペレータが印刷用紙２０１を取り出し易くするために、スタッカ上下スイッチ２１５により上昇・下降が可能な構成となっている。
【０００７】
図３に示すようにスタッカ上下スイッチ２１５押下によってスタッカスイッチ押下信号ＳＴ  ＳＷ−Ｐが「１」となると、スタッカ駆動信号ＳＴ  ＤＲＶ−Ｐを「１」とし、スタッカ駆動部２１４によりスタッカ２１３が動作する。オペレータが印刷用紙２０１を取り出す際の用紙弛みによる熱ロール２０６と印刷用紙２０１の接触を防止するため、スタッカスイッチ押下信号ＳＴ  ＳＷ−Ｐが「１」となることで、プラー２１０の駆動信号ＰＵＬＬＥＲ  ＤＲＶ−Ｐ信号を「１」、プラー方向信号ＰＵＬＬＥＲ  ＣＣＷ−Ｐを「１」とし、プラー駆動部２１１にてプラー２１０を用紙搬送方向に駆動する。これにより、スタッカ２１３動作中はトラクタ２０３とプラー２１０間で用紙の弛みの無い状態としている。
【０００８】
また、特許文献１のような用紙装填時に搬送部２１６が開閉可能な機構の場合は、搬送部２１６を開閉時にもプラー２１０を駆動し、トラクタ２０３とプラー２１０間で用紙の弛みの無い状態としている。
【０００９】
【特許文献１】特許第３６１７２１７号公報
【発明の開示】
【発明が解決しようとする課題】
【００１０】
従来の電子写真装置は、非印刷中に熱ロール２０６と印刷用紙２０１の接触による用紙の変色や変形を防止するためにオペレータの操作を契機にプラー２１０を駆動してトラクタ２０３とプラー２１０間で用紙の弛みの無い状態としていた。しかし、オペレータがスタッカ２０３から印刷用紙２０１を取り出す際にスタッカ２０３の上昇・下降をせずに取り出しを行った場合、プラー２１０を駆動する契機が無いため、トラクタ２０３とプラー２１０間で用紙の弛みが生じて、熱ロール２０６の熱により、用紙が変形する場合があった。
【００１１】
本発明の目的は、非印刷中の装置内の用紙たるみ等による不具合を解消して、信頼性の高い用紙搬送制御方法を提供することにある。
【課題を解決するための手段】
【００１２】
上記目的を達成するため本発明は、感光体上に形成されたトナー像を用紙に転写させる転写器と、前記転写器に対し用紙搬送方向下流側に設けられた用紙搬送トラクタと、該トラクタに対し用紙搬送方向下流側に設けられ、用紙上に転写されたトナー像を加熱・加圧することにより定着するための熱ロール及び加圧ロールと、前記熱ロールと加圧ロールの用紙搬送方向下流側に設けられた搬送ローラ対と、前記用紙搬送トラクタ、前記熱ロールと加圧ロールおよび搬送ローラ対で長尺に連続した用紙を搬送させながら該用紙にトナー像を印刷する電子写真装置の用紙搬送制御方法において、非印刷中の用紙停止時に規定間隔で前記搬送ローラ対を用紙搬送方向へ駆動、停止させることを特徴とするものである。
【発明の効果】
【００１３】
本発明の用紙搬送制御方法は、オペレータの操作に関係無く非印刷中の装置内の用紙のたるみを無くすことができ、用紙の熱ロール接触による熱変形や変色を防止することができる。
【発明を実施するための最良の形態】
【００１４】
非印刷中の装置内の用紙たるみにより、用紙と熱ロールが接触し用紙の変色や変形となることを防止する目的を、プラーを規定の間隔で用紙搬送方向へ駆動することで、従来と同じ構成で実現した。
【００１５】
本発明における実施例を図１、図４を用いて説明する。図１は、本発明における用紙搬送制御方法を示すタイムチャートである。
【００１６】
電子写真装置は図示しない上位装置からの印刷信号ＰＲＩＮＴ−Ｐが「１」となると、プラー駆動信号ＰＵＬＬＥＲ  ＤＲＶ−Ｐ信号を「１」、プラー方向信号ＰＵＬＬＥＲ  ＣＣＷ−Ｐを「１」とし、プラー駆動部２１１によりプラー２１０は用紙搬送方向に駆動する。ＰＲＩＮＴ−Ｐが「０」となるとプラー２１０の駆動信号ＰＵＬＬＥＲ  ＤＲＶ−Ｐ信号を「０」とし、プラー２１０は停止する。ＰＲＩＮＴ−Ｐ信号が「０」の期間は非印刷状態であり、印刷用紙２０１は停止している。非印刷中はプラー駆動信号ＰＵＬＬＥＲ  ＤＲＶ−Ｐ信号を「０」としてから、Ｔ１時間経過後にプラー駆動信号ＰＵＬＬＥＲ  ＤＲＶ−Ｐ信号を「１」、プラー方向信号ＰＵＬＬＥＲ  ＣＣＷ−Ｐを「１」とし、Ｔ２時間経過後にプラー駆動信号ＰＵＬＬＥＲ  ＤＲＶ−Ｐ信号を「０」とする。これによりプラー２１０はＴ１時間停止、Ｔ２時間駆動を繰り返し行うことで、間欠的な動作となり、トラクタ２０３とプラー２１０間で用紙の弛みを無くすことが出来る。停止時間Ｔ１は、印刷用紙２０１と熱ロール２０６が接触したケースにおいて、印刷用紙２０１が加熱されることによる熱変形や変色が発生しない程度に短くした時間に設定する。
【００１７】
上記に示すように、非印刷中は規定の間隔でプラー２１０を用紙搬送方向へ駆動させることで、トラクタ２０３とプラー２１０間で用紙の弛みが生じることにより印刷用紙２０１と熱ロール２０６が接触して、印刷用紙２０１が加熱されることによる用紙の熱変形や変色を防止することができる。
【図面の簡単な説明】
【００１８】
【図１】本発明における用紙搬送制御方法を示すタイムチャートである。
【図２】従来の用紙搬送制御方法を示すタイムチャートである。
【図３】従来の用紙搬送制御方法を示すタイムチャートである。
【図４】電子写真装置の概略構成図である。
【符号の説明】
【００１９】
２０１は印刷用紙、２０２は感光ドラム、２０３はトラクタ、２０４はバッファ、２０５は用紙搬送ガイド、２０６は熱ロール、２０７は加圧ロール、２０８は転写器、２１０はプラー、２１１はプラー駆動部、２１２はスウィングフィン、２１３はスタッカ、２１４はスタッカ駆動部、２１５はスタッカ上下スイッチ、２１６は搬送部。
【図１】
2008233770.tif 000003
【図２】
2008233770.tif 000004
【図３】
2008233770.tif 000005
【図４】
2008233770.tif 000006